(57)【要約】【課題】コンデンサレスインバータにおけるリレーの切換制御対策。【解決手段】電力変換装置（10）は、交流電源（1）から出力された交流電力を整流するダイオード整流回路（20）と、ダイオード整流回路（20）の入力側をオン状態とオフ状態とに切り換えるリレー（14）と、ダイオード整流回路（20）から電力供給されるインバータ回路（30）と、ダイオード整流回路（20）からの電圧変動を吸収することなく、インバータ回路（30）のスイッチングによる電圧変動を吸収するコンデンサ（26）と、交流電源（1）からダイオード整流回路（20）に印加される電圧を検知する電圧検知回路（42）と、電圧検知回路（42）の検知電圧が基準電圧以下である時にリレー（14）をオフ状態からオン状態へ切り換えるリレー制御部（41）とを備えている。【選択図】図１
2013172615.tif 000002
【特許請求の範囲】
【請求項１】
交流電源（1）と、少なくともコンデンサ（26,56）を含む変換器との間にリレー回路（14）が設けられた電力変換装置であって、
上記交流電源（1）の電圧状態に基づいて上記リレー回路（14）をオフ状態からオン状態に切り換えるリレー制御部（41,43,54）を備えている
ことを特徴とする電力変換装置。
【請求項２】
請求項１において、
上記変換器は、上記交流電源（1）から出力された交流電力を整流する整流回路（20）と、上記整流回路（20）から電力供給されるインバータ回路（30）と、上記整流回路（20）からの電圧変動を吸収することなく、上記インバータ回路（30）のスイッチングによる電圧変動を吸収するコンデンサ（26）とを備え、
上記リレー回路（14）は、上記整流回路（20）の入力側をオン状態とオフ状態とに切り換えるよう構成されている
ことを特徴とする電力変換装置。
【請求項３】
請求項１において、
上記変換器は、上記交流電源（1）から交流出力を直接生成するマトリックスコンバータ（51）と、該マトリックスコンバータ（51）の入力側に設けられるコンデンサ（56）とを備えている
ことを特徴とする電力変換装置。
【請求項４】
請求項１〜３の何れか１つにおいて、
上記リレー制御部（41,54）は、上記交流電源（1）の電圧の瞬時値が所定値以下となるタイミングで上記リレー回路（14）をオフ状態からオン状態へ切り換えるよう構成されている
ことを特徴とする電力変換装置。
【請求項５】
請求項４において、
上記所定値は、上記リレー回路（14）をオフ状態からオン状態へ切り換えたときの上記変換器の入力電圧が該変換器の構成素子の耐電圧以下となるように設定されている
ことを特徴とする電力変換装置。
【請求項６】
請求項４又は５において、
上記所定値は、上記リレー回路（14）がオフ状態からオン状態へ切り換わる間に変化する電圧分を考慮して設定される
ことを特徴とする電力変換装置。
【請求項７】
請求項１〜３の何れか１つにおいて、
上記リレー制御部（43,54）は、上記交流電源（1）の電圧の位相が所定の位相範囲内となるタイミングで上記リレー回路（14）をオフ状態からオン状態へ切り換えるよう構成されている
ことを特徴とする電力変換装置。
【請求項８】
請求項７において、
上記所定の位相は、上記リレー回路（14）をオフ状態からオン状態へ切り換えたときの上記変換器の入力電圧が該変換器の構成素子の耐電圧以下となるように設定されている
ことを特徴とする電力変換装置。
【請求項９】
請求項７又は８において、
上記所定の位相は、リレー回路（14）がオフ状態からオン状態へ切り換わる間に変化する位相分を考慮して設定される
ことを特徴とする電力変換装置。
【請求項１０】
請求項１〜９の何れか１つにおいて、
上記交流電源（1）と上記変換器との間に設けられるリアクトル（11）を備えている
ことを特徴とする電力変換装置。
【発明の詳細な説明】
【技術分野】
【０００１】
本発明は、電力変換装置に関し、特に、リレー回路の切換制御に係るものである。
【背景技術】
【０００２】
従来より、電力変換装置としてインバータ回路が知られている。インバータ回路は、スイッチング制御により、直流電力を可変周波数・可変電圧の交流電力に高効率変換する回路である。
【０００３】
図５に示すように、一般的に、インバータ回路（a）は、リアクトル（i）と突入電流防止回路（b）と整流回路（c）と平滑コンデンサ（d）とインバータ（e）とが接続されて構成されている。上記整流回路（c）は、複数のダイオード（f）が接続されるブリッジ回路を有して構成されている。上記平滑コンデンサ（d）は、整流回路（c）で整流した電圧変動を除去するためのものである。そして、上記突入電流防止回路（b）は、電源投入時に平滑コンデンサ（d）に大量の電流（突入電流）が流れるのを防止するためのものである。突入電流防止回路（b）は、抵抗素子（g）とリレースイッチ（h）とで構成されている。
【０００４】
一方で、上述したインバータ回路（a）等において従来より必要とされていた大容量の平滑コンデンサのコンデンサ容量を小容量化すると共に負荷側のモータを制御することで、電源側の力率低下問題や高調波問題を解消する、いわゆるコンデンサレスインバータ回路が提案されている。
【０００５】
具体的に、特許文献１に示すコンデンサレスインバータ回路は、整流回路の出力側に、従来の大容量の平滑コンデンサ（d）に代えて、例えば数十μＦ程度の小容量のコンデンサを設けている。この種のコンデンサレスインバータ回路では、用いられるコンデンサが小容量であるため、大きな突入電流が流れない。これにより、特許文献１に示すコンデンサレスインバータ回路では、上述したインバータ回路（a）のように突入電流防止回路（b）を設ける必要がない。
【先行技術文献】
【特許文献】
【０００６】
【特許文献１】特開２００２−５１５８９号公報
【発明の概要】
【発明が解決しようとする課題】
【０００７】
しかしながら、従来のコンデンサレスインバータ回路などでは、リレーをオフからオンへ切り換える際、回路配線等に含まれるリアクトル成分とコンデンサとの間でＬＣ共振が発生することがある。このリレーの切り換えのタイミングが、交流電源の電圧がゼロになる瞬間（電圧ゼロ点）から所定の位相の範囲を超えると、ＬＣ共振の影響を受けて、図６に示すように、交流電源から整流回路に印加される電圧が過渡的に大きくなり、その結果、整流回路の出力側の電圧も過渡的に大きくなり、インバータ回路の構成素子等が破壊されてしまうという問題があった。
【０００８】
本発明は、斯かる点に鑑みてなされたものであり、コンデンサレスインバータ回路において、インバータ回路の構成素子等を破壊することなく、リレーを切り換えることを目的とする。
【課題を解決するための手段】
【０００９】
上記リレーの切り換えのタイミングにおける電圧ゼロ点からの位相が大きくなるのに応じて、交流電源から整流回路に印加される瞬時電圧が大きくなるという問題が生じる。
【００１０】
具体的には、図８に示すように、リレーの切り換えタイミングが交流電源の電圧のゼロ点からの位相が３０°のとき、ＬＣ共振の影響を受けて整流回路に印加される瞬時電圧が大きくなる。尚、図８に示す下図の破線は、交流電源の電圧のゼロ点においてリレーが切り換えられた場合のスイッチング波形を示し、上図の破線は、整流回路に入力される電圧を示している（以下、図９〜図１３において同じ）。さらに、図８〜図１１に示すように、電圧ゼロ点からの位相が大きく（３０°〜９０°）なると、交流電源から整流回路へ印加される瞬時電圧が大きくなる。そして、交流電源から整流回路へ印加される瞬時電圧が大きくなると、その結果、整流回路の出力側の電圧も過渡的に大きくなり、インバータ回路の構成素子等が破壊されてしまう。
【００１１】
逆に、図１２に示すように、リレーの切り換えタイミングが、交流電源の電圧のゼロ点の近傍であると瞬時電圧が小さくなる。そこで、本発明は、整流回路に印加される電圧が小さいときにリレー回路をオンするようにしたものである。
【００１２】
尚、上述した突入電流防止回路（b）を有するインバータ回路（a）では、抵抗素子（g）によって電流が減少するため、ＬＣ共振そのものが抑制されており、図１３に示すように、リレーの切り換えタイミングが電圧ゼロ点から所定の範囲を超えても交流電源から整流回路へ印加される電圧が過渡的に大きくなることはない。
【００１３】
第１の発明は、交流電源（1）と、少なくともコンデンサ（26,56）を含む変換器との間にリレー回路（14）が設けられた電力変換装置であって、上記交流電源（1）の電圧状態に基づいて上記リレー回路（14）をオフ状態からオン状態に切り換えるリレー制御部（41,43,54）を備えている。
【００１４】
上記第１の発明では、リレー制御部（41,43,54）は、交流電源（1）の電圧状態に基づいてリレー回路（14）をオフ状態からオン状態へ切り換える。つまり、交流電源（1）の電圧状態に基づいてリレー回路（14）がオン状態へ切り換わると、交流電源（1）から変換器へ印加される電圧（入力電圧）が装置の配線等に含まれるリアクトル成分とコンデンサ（26,56）との間で発生する共振現象（ＬＣ共振）の影響を受けても、変換器の入力電圧が過電圧となることがない。上記リレー回路（14）がオン状態へ切り換わると、変換器は電力変換を行う。
【００１５】
第２の発明は、上記第１の発明において、上記変換器は、上記交流電源（1）から出力された交流電力を整流する整流回路（20）と、上記整流回路（20）から電力供給されるインバータ回路（30）と、上記整流回路（20）からの電圧変動を吸収することなく、上記インバータ回路（30）のスイッチングによる電圧変動を吸収するコンデンサ（26）とを備え、上記リレー回路（14）は、上記整流回路（20）の入力側をオン状態とオフ状態とに切り換えるよう構成されている。
【００１６】
上記第２の発明では、リレー制御部（41,43）は、交流電源（1）の電圧状態に基づいてリレー回路（14）をオフ状態からオン状態へ切り換える。つまり、交流電源（1）の電圧状態に基づいてリレー回路（14）がオン状態へ切り換わると、交流電源（1）からインバータ回路（30）へ印加される電圧（印加電圧）が装置の配線等に含まれるリアクトル成分とコンデンサ（26）との間で発生する共振現象（ＬＣ共振）の影響を受けても、インバータ回路（30）に供給される電圧が過電圧となることがない。
【００１７】
上記リレー回路（14）がオン状態へ切り換わると、整流回路（20）は交流電力を整流する。この整流回路（20）は、交流電源（1）の出力電圧に応じた電圧変動を含んでインバータ回路（30）に電力供給をする。そして、インバータ回路（30）は、交流電力を出力して負荷に供給する。
【００１８】
上記インバータ回路（30）では、スイッチングによる電圧変動が発生する。上記コンデンサ（26）は、整流回路（20）からの電圧変動を吸収せず、インバータ回路（30）のスイッチングに起因する電圧変動のみを吸収する。
【００１９】
第３の発明は、上記第１の発明において、上記変換器は、上記交流電源（1）から交流出力を直接生成するマトリックスコンバータ（51）と、該マトリックスコンバータ（51）の入力側に設けられるコンデンサ（56）とを備えている。
【００２０】
上記第３の発明では、リレー制御部（54）は、交流電源（1）の電圧状態に基づいてリレー回路（14）をオフ状態からオン状態へ切り換える。つまり、交流電源（1）の電圧状態に基づいてリレー回路（14）がオン状態へ切り換わると、交流電源（1）からマトリックスコンバータ（51）へ印加される電圧（印加電圧）が装置の配線等に含まれるリアクトル成分とコンデンサ（56）との間で発生する共振現象（ＬＣ共振）の影響を受けても、マトリックスコンバータ（51）への印加電圧（入力電圧）が過電圧となることがない。
【００２１】
上記リレー回路（14）がオン状態へ切り換わると、マトリックスコンバータ（51）は交流電源（1）から供給された交流電力から直接交流電力を出力して負荷に供給する。
【００２２】
第４の発明は、上記第１〜３の発明の何れか１つにおいて、上記リレー制御部（41,54）は、上記交流電源（1）の電圧の瞬時値が所定値以下となるタイミングで上記リレー回路（14）をオフ状態からオン状態へ切り換えるよう構成されている。
【００２３】
上記第４の発明では、リレー制御部（41,54）は、交流電源（1）の電圧の瞬時値が所定値を越えないタイミングでリレー回路（14）をオフ状態からオン状態へ切り換える。つまり、上記タイミングでリレー回路（14）がオン状態へ切り換わると、交流電源（1）から変換器へ印加される電圧（入力電圧）が、装置の配線等に含まれるリアクトル成分とコンデンサ（26,56）との間で発生する共振現象（ＬＣ共振）の影響を受けても、変換器の入力電圧が過電圧となることがない。
【００２４】
第５の発明は、上記第４の発明において、上記所定値は、上記リレー回路（14）をオフ状態からオン状態へ切り換えたときの上記変換器の入力電圧が該変換器の構成素子の耐電圧以下となるように設定されている。
【００２５】
上記第５の発明では、所定値は、上記リレー回路（14）をオフ状態からオン状態へ切り換えたときに過渡的に大きくなる変換器の入力電圧が、変換器の構成素子の耐電圧以下となるような電圧の範囲に設定される。これにより、変換器の構成素子が破壊されるような過電圧となる前にリレー回路（14）をオフ状態からオン状態へ切り換えることができる。
【００２６】
第６の発明は、上記第４又は第５の発明において、上記所定値は、リレー回路（14）がオフ状態からオン状態へ切り換わる間に変化する電圧分を考慮して設定される。
【００２７】
上記第６の発明に係るリレー制御部（41,54）では、リレー回路（14）がオフ状態からオン状態へ切り換わる間に生じた（変化した）電圧分を考慮し、例えば、この電圧分だけ所定値を補正する。そして、リレー制御部（41,54）は、交流電源（1）の電圧の瞬時値が所定値を越えないタイミングでリレー回路（14）をオフ状態からオン状態へ切り換える。つまり、このタイミングでリレー回路（14）がオン状態へ切り換わると、装置の配線等に含まれるリアクトル成分とコンデンサ（26,56）との間で発生する共振現象（ＬＣ共振）の影響を受けても、変換器の入力電圧が過電圧となることがない。
【００２８】
第７の発明は、上記第１〜第３の発明の何れか１つにおいて、上記リレー制御部（43,54）は、上記交流電源（1）の電圧の位相が所定の位相範囲内となるタイミングで上記リレー回路（14）をオフ状態からオン状態へ切り換えるよう構成されている。
【００２９】
上記第７の発明では、リレー制御部（43,54）は、交流電源（1）の電圧の位相が所定位相範囲内のタイミングでリレー回路（14）をオフ状態からオン状態へ切り換える。つまり、上記タイミングでリレー回路（14）がオン状態へ切り換わると、交流電源（1）から変換器へ印加される電圧（入力電圧）が、装置の配線に含まれるリアクトル成分とコンデンサ（26,56）との間で発生する共振現象（ＬＣ共振）の影響を受けても、変換器の入力電圧が過電圧となることがない。
【００３０】
第８の発明は、上記第７の発明において、上記所定の位相は、上記リレー回路（14）をオフ状態からオン状態へ切り換えたときの上記変換器の入力電圧が該変換器の構成素子の耐電圧以下となるように設定されている。
【００３１】
上記第８の発明では、所定の位相は、上記リレー回路（14）をオフ状態からオン状態へ切り換えたときに過渡的に大きくなる変換器の入力電圧が、該変換器の構成素子の耐電圧以下となるような位相に設定される。これにより、変換器の構成素子が破壊されるような過電圧となる前にリレー回路（14）をオフ状態からオン状態へ切り換えることができる。
【００３２】
第９の発明は、上記第７又は第８の発明において、上記所定の位相は、リレー回路（14）がオフ状態からオン状態へ切り換わる間に変化する位相分を考慮して設定される。
【００３３】
上記第９の発明に係るリレー制御部（43,54）では、リレー回路（14）がオフ状態からオン状態へ切り換わる間に生じた（変化した）位相分を考慮し、例えば、この位相分に相当する時間分だけ所定位相を補正する。
【００３４】
そして、リレー制御部（43,54）は、交流電源（1）の電圧の位相が補正された所定位相の範囲内にリレー回路（14）をオフ状態からオン状態へ切り換える。つまり、このタイミングでリレー回路（14）がオン状態へ切り換わると、装置の配線等に含まれるリアクトル成分とコンデンサ（26,56）との間で発生する共振現象（ＬＣ共振）の影響を受けても、変換器の入力電圧が過電圧となることがない。
【００３５】
第１０の発明は、上記第１〜第９の発明の何れか１つにおいて、上記交流電源（1）と上記変換器との間に設けられるリアクトル（11）を備えている。
【００３６】
上記第１０の発明では、リレー回路（14）の切り換えのタイミングが電圧ゼロ点から所定の範囲を超えると、交流電源（1）から変換器へ印加される電圧（入力電圧）がリアクトル（11）とコンデンサ（26,56）との間で発生するＬＣ共振の影響を受け、変換器の入力電圧が過電圧となる。
【発明の効果】
【００３７】
上記第１の発明によれば、交流電源（1）の電圧状態に基づいてリレー回路（14）をオン状態へ切り換えるようにしたため、交流電源（1）から変換器へ印加される電圧（入力電圧）が過渡的に過電圧になるのを防止することができる。つまり、変換器へ印加される電圧（入力電圧）がＬＣ共振による影響を受けても、変換器の入力電圧が過電圧とならない。これにより、変換器の構成素子等を破壊することなく、リレー回路（14）を切り換えることができる。
【００３８】
上記第２の発明によれば、交流電源（1）の電圧状態に基づいてリレー回路（14）をオン状態へ切り換えるようにしたため、交流電源（1）から整流回路（20）へ印加される電圧（印加電圧）が過渡的に過電圧になるのを防止することができる。つまり、整流回路（20）へ印加される電圧（印加電圧）がＬＣ共振による影響を受けても、整流回路（20）から出力される電圧が過電圧とならない。これにより、インバータ回路（30）の構成素子等を破壊することなく、リレー回路（14）を切り換えることができる。
【００３９】
上記第３の発明によれば、交流電源（1）の電圧状態に基づいてリレー回路（14）をオン状態へ切り換えるようにしたため、マトリックスコンバータ（51）の入力電圧が過渡的に過電圧になるのを防止することができる。つまり、マトリックスコンバータ（51）へ入力される電圧がリアクトル成分による影響を受けても、入力電圧が過電圧となるのを防止しつつ、リレー回路（14）を切り換えることができる。
【００４０】
上記第４の発明によれば、交流電源（1）の電圧の瞬時値が所定値以下であるときにリレー回路（14）をオン状態へ切り換えるようにしたため、交流電源（1）から変換器へ印加される電圧（入力電圧）が過電圧になるのを防止することができる。つまり、変換器へ印加される電圧（入力電圧）がＬＣ共振による影響を受けても、変換器の入力電圧が過電圧とならない。これにより、変換器の構成素子等を破壊することなく、リレー回路（14）を切り換えることができる。
【００４１】
上記第５の発明によれば、リレー回路（14）をオフ状態からオン状態へ切り換えたときの変換器の入力電圧が該変換器の構成素子の耐電圧以下となるような電圧の範囲で所定値を設定したため、変換器の入力電圧が大きくなっても該変換器の構成素子に耐電圧以上の過電圧が印加されるのを確実に防止することができる。これにより、変換器の構成素子を破壊することなく、リレー回路（14）を切り換えることができる。
【００４２】
上記第６の発明によれば、リレー回路（14）がオフ状態からオン状態へ切り換わる間に生じる（変化する）電圧分を考慮して所定値を設定したため、リレー回路（14）がオフ状態からオン状態へ切り換わるまでの時間を考慮してリレー回路（14）を切り換えることができる。つまり、リレー回路（14）がオフ状態からオン状態へ切り換わる時間を考慮することで変換器の入力電圧が過渡的に過電圧となるのを確実に防止することができる。これにより、変換器の構成素子等を破壊することなく、リレー回路（14）を切り換えることができる。
【００４３】
上記第７の発明によれば、交流電源（1）の電圧の位相が所定の位相の範囲内のタイミングでリレー回路（14）をオン状態へ切り換えるようにしたため、交流電源（1）から変換器の入力電圧が過電圧になるのを防止することができる。つまり、変換器へ印加される電圧（入力電圧）がＬＣ共振による影響を受けても、変換器の入力電圧が過電圧とならない。これにより、変換器の構成素子等を破壊することなく、リレー回路（14）を切り換えることができる。
【００４４】
上記第８の発明によれば、リレー回路（14）をオフ状態からオン状態へ切り換えたときの変換器の入力電圧が該変換器の構成素子の耐電圧以下となるような電圧の範囲で所定の位相を設定したため、変換器への入力電圧が大きくなっても変換器の構成素子に耐電圧以上の過電圧が印加されるのを確実に防止することができる。これにより、変換器の構成素子を破壊することなく、リレー回路（14）を切り換えることができる。
【００４５】
上記第９の発明によれば、リレー回路（14）がオフ状態からオン状態へ切り換わる間に生じる（変化する）位相分を考慮して所定の位相を設定したため、リレー回路（14）がオフ状態からオン状態へ切り換わるまでの時間を考慮してリレー回路（14）を切り換えることができる。つまり、リレー回路（14）がオフ状態からオン状態へ切り換わる時間を考慮することで変換器の入力電圧が過渡的に過電圧となるのを確実に防止することができる。これにより、変換器の構成素子等を破壊することなく、リレー回路（14）を切り換えることができる。
【００４６】
上記第１０の発明では、交流電源（1）と変換器との間にリアクトル（11）を設けたため、リレー回路（14）の切り換えのタイミングが電圧ゼロ点から所定の範囲を超えると、交流電源（1）から変換器へ印加される電圧（入力電圧）がリアクトル（11）とコンデンサ（26,56）との間で発生するＬＣ共振の影響を受け、変換器の入力電圧が過電圧となる。
【００４７】
ところが、第１０の発明によれば、交流電源（1）の電圧が所定値になる前、又は交流電源（1）の位相が所定の位相になる前にリレー回路（14）をオン状態へ切り換えるようにしたため、交流電源（1）から変換器へ印加される電圧（入力電圧）が過渡的に過電圧になるのを防止することができる。つまり、変換器へ印加される電圧（入力電圧）がＬＣ共振による影響を受けても、変換器の入力電圧が過電圧とならない。これにより、変換器の構成素子等を破壊することなく、リレー回路（14）を切り換えることができる。
【図面の簡単な説明】
【００４８】
【図１】本実施形態１に係る電力変換装置を示す回路図である。
【図２】本実施形態２に係る電力変換装置を示す回路図である。
【図３】本実施形態３に係る電力変換装置を示す回路図である。
【図４】その他の実施形態に係るリレー制御部を示す回路図である。
【図５】従来例に係る電力変換装置を示す回路図である。
【図６】従来例に係るコンデンサレスインバータにおいてＬＣ共振が発生した場合の（A）は整流回路に入力される電圧と時間との関係を示すグラフであり、（B）は交流電源の電圧ゼロ点からの電圧の位相が９０°のときのリレーのタイミングチャートである。
【図７】従来例に係るコンデンサレスインバータ及び本実施形態に係る電力変換装置において、（A）は整流回路に入力される電圧と時間との関係を示すグラフであり、（B）は交流電源の電圧ゼロ点からの電圧の位相が１０°のときのリレーのタイミングチャートである。
【図８】従来のコンデンサレスインバータ及び本実施形態に係る電力変換装置において、（A）は整流回路に入力される電圧と時間との関係を示すグラフであり、（B）は交流電源の電圧ゼロ点からの電圧の位相が３０°のときのリレーのタイミングチャートである。
【図９】従来のコンデンサレスインバータ及び本実施形態に係る電力変換装置において、（A）は整流回路に入力される電圧と時間との関係を示すグラフであり、（B）は交流電源の電圧ゼロ点からの電圧の位相が４５°のときのリレーのタイミングチャートである。
【図１０】従来のコンデンサレスインバータ及び本実施形態に係る電力変換装置において、（A）は整流回路に入力される電圧と時間との関係を示すグラフであり、（B）は交流電源の電圧ゼロ点からの電圧の位相が６０°のときのリレーのタイミングチャートである。
【図１１】従来のコンデンサレスインバータ及び本実施形態に係る電力変換装置において、（A）は整流回路に入力される電圧と時間との関係を示すグラフであり、（B）は交流電源の電圧ゼロ点からの電圧の位相が９０°のときのリレーのタイミングチャートである。
【図１２】従来例に係るコンデンサレスインバータ及び本実施形態に係る電力変換装置において、（A）は整流回路に入力される電圧と時間との関係を示すグラフであり、（B）は交流電源の電圧ゼロ点からの電圧の位相が０°のときのリレーのタイミングチャートである。
【図１３】従来例に係るインバータ回路（a）において、（A）は整流回路に入力される電圧と電流と時間との関係を示すグラフであり、（B）は交流電源の電圧ゼロ点からの電圧の位相が９０°のときのリレーのタイミングチャートである。
【発明を実施するための形態】
【００４９】
以下、本発明の実施形態を図面に基づいて詳細に説明する。
【００５０】
〈発明の実施形態１〉
本実施形態１について以下に説明する。図１に示すように、本実施形態１に係る電力変換装置（10）は、リアクトル（11）と、リレー（14）と、電圧検知回路（42）と、リレー制御部（41）と、ダイオード整流回路（20）と、コンデンサ回路（25）と、インバータ回路（30）とが電源線（12,13）に接続されて構成されている。また、電力変換装置（10）は商用電源である交流電源（1）に接続されている。この交流電源（1）は、単相交流電源に構成されている。尚、ダイオード整流回路（20）、およびインバータ回路（30）は、本発明に係る変換器を構成している。
【００５１】
上記電力変換装置（10）は、例えば、空気調和装置の冷媒回路に設けられた圧縮機の電動機（モータ）（2）を駆動するために用いられる。ここで、空気調和装置の冷媒回路は図示をしないが、圧縮機と凝縮器と膨張機構と蒸発器とが閉回路を構成するように接続されてなり、冷媒が循環して蒸気圧縮式冷凍サイクルを行うよう構成されている。この冷媒回路によって冷房運転では、蒸発器で冷却された空気が室内へ供給され、暖房運転では、凝縮器で加熱された空気が室内へ供給される。
【００５２】
上記リレー（14）は、オン状態とオフ状態とを切り換えるものであって、本発明に係るリレー回路を構成している。このリレー（14）は、例えばコイルに所定の信号電圧を印加することでリレーの接点を動かすための可動部が動いて接点を閉じるように構成されている。リレー（14）は、リレー制御部（41）に接続され、該リレー制御部（41）からの信号電圧によってオフ状態とオン状態が切り換え制御されている。
【００５３】
上記ダイオード整流回路（20）は、４個の高速スイッチングダイオード（21）を有してブリッジ状に形成されている。そして、ダイオード整流回路（20）は、交流電源（1）から出力される交流電力を全波整流し、電源線（12,13）の間に与えるものであって、本発明に係る整流回路を構成している。
【００５４】
上記リアクトル（11）は、交流電源（1）とダイオード整流回路（20）との間に設けられている。
【００５５】
上記コンデンサ回路（25）は、例えば数十μＦ程度の小容量のコンデンサ（26）を備えている。このコンデンサ（26）は、例えばフィルムコンデンサで構成される。上記コンデンサ（26）は、上記ダイオード整流回路（20）とインバータ回路（30）との間で、且つ電源線（12,13）間に接続されている。そして、このコンデンサ（26）は、ダイオード整流回路（20）で整流された電圧変動を吸収せず、インバータ回路（30）のスイッチングによる電圧変動を吸収する小容量に構成されている。
【００５６】
上記インバータ回路（30）は上記ダイオード整流回路（20）で整流された電圧を入力し、三相の電流を電動機（モータ）（2）に供給するものである。インバータ回路（30）は、いずれも電源線（12）に接続されるコレクタを有する３個のトランジスタ（アッパーアーム側トランジスタ）と、いずれも電源線（13）に接続されるエミッタを有する３個のトランジスタ（ローワーアーム側トランジスタ）とを備えている。アッパーアーム側トランジスタのそれぞれは、ローワーアーム側トランジスタのそれぞれと対をなす。
【００５７】
上記電圧検知回路（42）は、交流電源（1）からダイオード整流回路（20）に印加される交流電圧の電圧値を検出するものである。具体的に電圧検知回路（42）は、交流電源（1）とダイオード整流回路（20）との間の電圧を検知している。そして、電圧検知回路（42）は、リレー制御部（41）に接続され、該リレー制御部（41）へ検知電圧のデータを送っている。
【００５８】
上記リレー制御部（41）は、上記電圧検知回路（42）の検出電圧に基づいてリレー（14）のスイッチング（オフ／オン）を制御するものである。リレー制御部（41）は、電圧検知回路（42）と、リレー（14）とに接続されている。
【００５９】
上記リレー制御部（41）には、ダイオード整流回路（20）で整流した電圧が、インバータ回路（30）のスイッチング素子であるトランジスタ等の耐電圧に対して過電圧とならないような電圧（上限電圧）に基づく交流電源（1）からダイオード整流回路（20）へ印加される電圧（基準電圧）が予め設定されている。この基準電圧は、本発明に係る所定値を構成している。
【００６０】
そして、リレー制御部（41）は、交流電源（1）からダイオード整流回路（20）へ印加される電圧が、上記基準電圧以下である時に、リレー（14）をオン状態に切り換えるよう構成されている。
【００６１】
具体的に、本実施形態１における電力変換装置（10）では、上記上限電圧が例示として５００Ｖに設定されている。したがって、本実施形態１では、リレー制御部（41）は、図７および図８に示すように、交流電源（1）の電圧の位相が電圧ゼロ点から３０°の状態となるまで時間的な余裕をもってリレー（14）の切り換えをすることができることになる。また、交流電源（1）の電圧の位相が電圧ゼロ点から３０°の状態となる時の交流電源（1）の電圧値が上記基準電圧となる。
【００６２】
また、この基準電圧の設定については、上記インバータ回路（30）の構成素子の耐電圧以外にもリレー（14）をオフからオンへ切り換えるのに要する時間（遅延時間）を考慮して設定することもできる。
【００６３】
具体的には、交流電源（1）からダイオード整流回路（20）へ印加される電圧が、上記遅延時間によって変化する分の電圧（変化電圧）を予め求めておく。そして、インバータ回路（30）のトランジスタ等の耐電圧に応じて設定された基準電圧から、上記変化電圧分を考慮した電圧を基準電圧として設定することで、リレー制御部（41）は、上記遅延時間分を考慮してリレー（14）をオンに切り換えることができる。これにより、リレー（14）を切り換えるのに時間がかかることによって、ダイオード整流回路（20）の出力電圧がインバータ回路（30）の構成素子であるトランジスタ等の耐電圧に対して過電圧となるのを確実に防止することができる。尚、上記リレー（14）を切り換えるのに要する時間（遅延時間）はリレー（14）のデータシート等に基づいて決めるようにしてもよい。
【００６４】
−実施形態１の効果−
上記本実施形態１では、ダイオード整流回路（20）の出力電圧がインバータ回路（30）のトランジスタ等の耐電圧以下となるようなダイオード整流回路（20）への印加電圧を基準電圧とした。また、電圧検知回路（42）の検知電圧が基準電圧以下であるときにリレー（14）をオンへ切り換えるようにした。このため、ダイオード整流回路（20）への印加電圧が過渡的に大きくなってもインバータ回路（30）のトランジスタ等にその耐電圧以上の過電圧が印加されるのを確実に防止することができる。これにより、インバータ回路（30）のトランジスタ等を破壊することなく、リレー（14）を切り換えることができる。
【００６５】
また、リレー（14）がオフからオンへ切り換わるのに要する時間に応じた変化電圧分だけ基準電圧を考慮して設定したため、リレー（14）がオフからオンへ切り換わるのに要する時間分を考慮してリレー（14）を切り換えることができる。つまり、リレー（14）がオフ状態からオン状態へ切り換わる時間を考慮することでダイオード整流回路（20）への印加電圧が大きくなり、その結果、インバータ回路（30）のトランジスタ等にその耐電圧以上の過電圧が印加されるのを確実に防止することができる。
【００６６】
さらに、電圧検知回路（42）の検知電圧が基準電圧以下であるときにリレー（14）をオンへ切り換えるようにしたため、時間的な余裕をもってリレー（14）を切り換えることができる。つまり、交流電源（1）の交流電源の電圧ゼロ点のみでリレー（14）を切り換えなくても、インバータ回路（30）のトランジスタ等を破壊せずにリレー（14）を切り換えることができる。
【００６７】
また、交流電源（1）とダイオード整流回路（20）との間にリアクトル（11）を設けたため、リレー（14）の切り換えのタイミングが基準電圧の範囲を超えると、交流電源（1）からインバータ回路（30）へ印加される電圧（印加電圧）がリアクトル（11）とコンデンサ（26）との間で発生するＬＣ共振の影響を受け、インバータ回路（30）に供給される電圧が過電圧となる。
【００６８】
ところが、本実施形態１によれば、交流電源（1）の電圧が基準電圧となる前のタイミングでリレー（14）をオン状態へ切り換えるようにしたため、交流電源（1）からダイオード整流回路（20）へ印加される電圧（印加電圧）が過渡的に過電圧になるのを防止することができる。つまり、ダイオード整流回路（20）へ印加される電圧（印加電圧）がＬＣ共振による影響を受けても、ダイオード整流回路（20）から出力される電圧が過電圧とならない。これにより、インバータ回路（30）の構成素子等を破壊することなく、リレー（14）を切り換えることができる。
【００６９】
〈発明の実施形態２〉
次に本発明の実施形態２について説明する。図２に示すように、本実施形態２に係る電力変換装置（10）は、上記実施形態１の電圧検知回路（42）に代えて位相検知回路（44）を備えるようにしたものである。
【００７０】
具体的には、実施形態２に係る電力変換装置（10）は、リレー（14）と、リアクトル（11）と、位相検知回路（44）と、リレー制御部（43）と、ダイオード整流回路（20）と、コンデンサ回路（25）と、インバータ回路（30）とが電源線（12,13）に接続されて構成されている。また、電力変換装置（10）は商用電源である交流電源（1）に接続されている。この交流電源（1）は、単相交流電源に構成されている。
【００７１】
上記リアクトル（11）は、リレー（14）とダイオード整流回路（20）との間に設けられている。
【００７２】
上記位相検知回路（44）は、交流電源（1）から出力される交流電圧の位相を検知するものである。具体的に、位相検知回路（44）は、交流電源（1）とダイオード整流回路（20）との間の電圧を検知することで電圧の位相（時間）を検知している。上記位相検知回路（44）は、リレー制御部（43）へ接続され、検知した位相（時間）のデータを送っている。
【００７３】
上記リレー制御部（43）は、上記位相検知回路（44）の検知した電圧の位相に基づいてリレー（14）のスイッチング（オフ／オン）を制御するものである。このリレー制御部（43）は、位相検知回路（44）と、リレー（14）とに接続されている。
【００７４】
上記リレー制御部（43）には、ダイオード整流回路（20）で整流した電圧が、インバータ回路（30）のスイッチング素子であるトランジスタ等の耐電圧に対して過電圧とならないような電圧（上限電圧）に基づく交流電源（1）から整流回路（20）へ印加される電圧（基準電圧）時の電圧の位相（基準位相）が予め設定されている。この基準位相は、本発明に係る所定位相を構成している。
【００７５】
そして、リレー制御部（43）は、交流電源（1）からダイオード整流回路（20）へ印加される電圧が、上記基準位相の範囲内のタイミングで、リレー（14）をオン状態に切り換えるように構成されている。
【００７６】
具体的に、本実施形態２では、例示として上記上限電圧が５００Ｖに設定されている。したがって、本実施形態１では、リレー制御部（43）は、交流電源（1）の電圧の位相が電圧ゼロ点から３０°の状態となるまでは時間的な余裕をもってリレー（14）の切り換えを行うことができる。
【００７７】
そして、上記リレー制御部（43）は、交流電源（1）からダイオード整流回路（20）への印加電圧が、電圧ゼロ点から位相が３０°の状態となる時より前にリレー（14）をオン状態に切り換える。
【００７８】
また、この基準位相の設定については、上記インバータ回路（30）の構成素子の耐電圧以外にもリレー（14）をオフからオンへ切り換えるのに要する時間（遅延時間）を考慮して設定することもできる。
【００７９】
具体的には、交流電源（1）からダイオード整流回路（20）へ印加される電圧が、上記遅延時間が経過することによって変化する分の位相（変化位相）を予め求めておく。そして、インバータ回路（30）のトランジスタ等の耐電圧に応じて設定された基準位相から、上記変化位相分を考慮した位相を基準位相とすることで、リレー制御部（43）は、上記遅延時間分を考慮してリレー（14）をオンに切り換えることができる。これにより、リレー（14）を切り換えるのに時間がかかることによって、ダイオード整流回路（20）の出力電圧がインバータ回路（30）の構成素子であるトランジスタ等の耐電圧に対して過電圧となるのを確実に防止することができる。
【００８０】
−実施形態２の効果−
本実施形態２によれば、位相検知回路（44）の検知した位相が電圧ゼロ点から３０°の状態となる前にリレー（14）をオン状態へ切り換えるようにしたため、交流電源（1）からダイオード整流回路（20）へ印加される電圧（印加電圧）が過電圧になるのを防止することができる。つまり、整流回路（20）へ印加される電圧（印加電圧）がＬＣ共振による影響を受けても、整流回路（20）から出力される電圧が過電圧とならない。これにより、インバータ回路（30）の構成素子等を破壊することなく、リレー（14）を切り換えることができる。
【００８１】
また、リレー（14）をオフ状態からオン状態へ切り換えたときのダイオード整流回路（20）の出力電圧がインバータ回路（30）の構成素子の耐電圧以下となるようなダイオード整流回路（20）への入力側の電圧となるように所定の位相を設定したため、ダイオード整流回路（20）への印加電圧が大きくなってもインバータ回路（30）の構成素子に耐電圧以上の過電圧が印加されるのを確実に防止することができる。これにより、インバータ回路（30）の構成素子を破壊することなく、リレー（14）を切り換えることができる。
【００８２】
また、リレー（14）がオフ状態からオン状態へ切り換わる間に生じる（変化する）位相分だけ所定位相を補正したため、リレー（14）がオフ状態からオン状態へ切り換わるのに要する時間を考慮してリレー（14）を切り換えることができる。つまり、リレー（14）がオフ状態からオン状態へ切り換わる時間を考慮することでダイオード整流回路（20）への印加電圧が過渡的に過電圧となるのを確実に防止することができる。これにより、インバータ回路（30）の構成素子等を破壊することなく、リレー（14）を切り換えることができる。
【００８３】
〈発明の実施形態３〉
次に、本実施形態３について説明する。本実施形態３に係る電力変換装置（10）は、本実施形態１に係る電力変換装置（10）に代えてマトリックスコンバータ（51）に構成されているものである。
【００８４】
具体的には、図３に示すように、本実施形態３に係る電力変換装置（10）は、電圧検知回路（42）と、リアクトル（55）と、コンデンサ（56）と、リレー制御部（54）と、マトリックスコンバータ（51）と、リレー（14）とを備えている。尚、マトリックスコンバータ（51）とコンデンサ（56）は、本発明に係る変換器を構成している。
【００８５】
上記マトリックスコンバータ（51）は、三相交流電源（5）の電線と三相交流モータ（6）の固定子電線とで組合せ可能な９つの接点それぞれにスイッチング素子を使用した双方向スイッチ（53）を設けたマトリックスコンバータであり、入力した交流電圧を一旦直流電圧に変換することなく直接交流電圧に変換して出力する。上記各双方向スイッチ（53）は、ＩＧＢＴの組合せにより構成されている。
【００８６】
上記リレー制御部（54）は、上記電圧検知回路（42）の検出電圧に基づいてリレー（14）のスイッチング（オフ／オン）を制御するものである。リレー制御部（54）は、電圧検知回路（42）と、リレー（14）とに接続されている。上記リレー制御部（54）には、マトリックスコンバータ（51）から出力される電圧が過電圧とならない電圧（上限電圧）に基づく三相交流電源（5）からマトリックスコンバータ（51）へ印加される電圧（基準電圧）が予め設定されている。この基準電圧は、本発明に係る所定値を構成している。尚、本実施形態３では、上記上限電圧は、例示として５００Ｖに設定されている。
【００８７】
そして、リレー制御部（54）は、交流電源（1）からマトリックスコンバータ（51）の入力電圧が基準電圧以下である時に、リレー（14）をオン状態に切り換えるよう構成されている。
【００８８】
尚、本実施形態３は、検知電圧に基づいてリレー（14）を切り換えるようにしたが、実施形態２のように交流電源（1）の電圧位相に基づいて切り換えるようにしてもよい。この場合、上記リレー制御部（54）には、マトリックスコンバータ（51）から出力される電圧が過電圧とならない電圧（上限電圧）に基づく三相交流電源（5）からマトリックスコンバータ（51）へ印加される電圧（基準電圧）時の電圧の位相（基準位相）が予め設定されている。この基準位相は、本発明に係る所定位相を構成している。
【００８９】
−実施形態３の効果−
本実施形態３によれば、交流電源（1）の電圧が５００Ｖになる前にリレー（14）をオン状態へ切り換えるようにしたため、マトリックスコンバータ（51）の入力電圧が過渡的に過電圧になるのを防止することができる。その他の構成、作用・効果は実施形態１と同様である。
【００９０】
〈その他の実施形態〉
本発明は、上記実施形態１〜３について、以下のような構成としてもよい。
【００９１】
本実施形態１及び３では、上限電圧を５００Ｖとしたときの基準電圧に設定し、交流電源（1）の電圧位相が電圧ゼロ点から３０°の状態となる前にリレー（14）を切り換えるようにしたが、この上限電圧は、例示であり、インバータ回路の構成や、使用する構成素子等の耐電圧に応じて異なる値である。
【００９２】
本実施形態２では、交流電源（1）の電圧位相が電圧ゼロ点から３０°の状態となる前にリレー（14）を切り換えるようにしたが、この上限電圧は、例示であり、インバータ回路の構成や、使用する構成素子等の耐電圧に応じて異なる値である。
【００９３】
本実施形態１〜３について、図４に示すように、フォトカプラ（61）によってリレー（14）を切り換えるようにしてもよい。具体的には、フォトカプラ（61）は、発光ダイオード（62）とフォトトランジスタ（63）との組合せにより構成されている。そして、発光ダイオード（62）に通電されると、リレー（14）をオン状態にする信号を流すようにする。この場合、フォトカプラ（61）のデータシート等に基づいて信号を発信するまでに要する時間を補正するようにしてもよい。
【００９４】
尚、以上の実施形態は、本質的に好ましい例示であって、本発明、その適用物、あるいはその用途の範囲を制限することを意図するものではない。
【産業上の利用可能性】
【００９５】
以上説明したように、本発明は、コンデンサレスインバータにおける、リレー回路の切換制御について有用である。
【符号の説明】
【００９６】
１            交流電源
１１          リアクトル
１４          リレー
２０          ダイオード整流回路
２６          （実施形態１に係る）コンデンサ
３０          インバータ回路
４１          （実施形態１に係る）リレー制御部
４２          電圧検知回路
４３          （実施形態２に係る）リレー制御部
４４          位相検知回路
５１          マトリックスコンバータ
５４          （実施形態３に係る）リレー制御部
５６          （実施形態３に係る）コンデンサ
【図１】
2013172615.tif 000003
【図２】
2013172615.tif 000004
【図３】
2013172615.tif 000005
【図４】
2013172615.tif 000006
【図５】
2013172615.tif 000007
【図６】
2013172615.tif 000008
【図７】
2013172615.tif 000009
【図８】
2013172615.tif 000010
【図９】
2013172615.tif 000011
【図１０】
2013172615.tif 000012
【図１１】
2013172615.tif 000013
【図１２】
2013172615.tif 000014
【図１３】
2013172615.tif 000015